(57)【要約】      （修正有）【課題】簡便に男性器に装着して使用することができるとともに、良好な装着状態を確保して尿漏れを有効に防止することが可能な吸収性物品を提供する。【解決手段】少なくとも防水シート上に吸収層を有する積層シートに、軟質弾性材料からなる男性器貫通用のスリットが形成され、該男性器貫通用のスリットに使用者の男性器を挿入し、使用者の排泄した尿を吸収層で吸収・保持する。【選択図】図３
0003174412.tif 000002
【実用新案登録請求の範囲】
【請求項１】
少なくとも防水シート上に吸収層を有する積層シートに、軟質弾性材料からなる男性器貫通用のスリットが形成され、該男性器貫通用のスリットに使用者の男性器を挿入し、使用者の排泄した尿を吸収層で吸収・保持する吸収性物品。
【請求項２】
前記積層シートの吸収層を内側にして三角形状に折り畳んでなる三角形状の袋体であって、該袋体の壁面に、軟質弾性材料からなる男性器貫通用のスリットを形成し、該男性器貫通用のスリットに使用者の男性器を挿入し、使用者の排泄した尿を吸収層で吸収・保持する請求項１に記載の吸収性物品。
【請求項３】
前記積層シートの吸収層を内側にして、かつ、一端の一部が開口するように袋状に形成してなる直方体状の袋体であって、該袋体の壁面に、軟質弾性材料からなる男性器貫通用のスリットを形成し、該男性器貫通用のスリットに使用者の男性器を挿入し、使用者の排泄した尿を吸収層で吸収・保持する請求項１に記載の吸収性物品。
【請求項４】
前記軟質弾性材料からなる男性器貫通用のスリットが、放射状の切れ目を有するものである請求項１〜３のいずれかに記載の吸収性物品。
【請求項５】
前記軟質弾性性材料がシリコン樹脂である請求項１〜４のいずれかに記載の吸収性物品。
【請求項６】
請求項１〜５のいずれかに記載の吸収性物品の製造方法であって、少なくとも防水シート上に吸収層を有する積層シートに、男性器貫通用のスリット又は孔を開け、該スリット又は孔を覆うように、切れ目を有する軟質弾性材料からなるシートを前記積層シートに貼着することにより、男性器貫通用のスリットを形成する工程を有する吸収性物品の製造方法。
【考案の詳細な説明】
【技術分野】
【０００１】
本考案は、簡便に男性器に装着して使用することができるとともに、良好な装着状態を確保して尿漏れを有効に防止することが可能な吸収性物品に関する。
【背景技術】
【０００２】
従来、寝たきり男性、失禁者等の成人男性用の尿吸収パッド等の吸収性物品として、防水シート上に吸収層を設けた吸収性物品が知られている。たとえば、特許文献１には、図５に示すように、上層部３０と下層部２０とにより縦方向一端部４０が該上層部３０の該一端から該方向に延出する袋体５０に形成され、前記両層部の外面は不透液性シートで被覆されているとともに、前記両層部の少なくとも一方は該不透液シートと前記袋体の内面に位置する透液性シートとの間に吸液性コアが介在してなる失禁用使い捨て物品２００が記載されている。この吸収性物品は、使用者が男性器を袋体５０の開口部Ａに挿入して使用するものである。
また、特許文献２には、図６（ａ）に示すように、長方形状の、表面シートと、裏面シートと、両シートの間の一部に介装された吸収体からなる積層シート６０の所定位置に男性器を挿入するスリットＢを設けた男性用尿吸収パッド３００が記載されている。この男性用尿パッド３００は、図６(ｂ)に示すように、折れ線９０に沿って積層シート６０を略三角形状に折りたたみ、接着部８０にて貼り合わせ、使用者は、スリットＢに男性器を挿入して使用するものである。
しかしながら、これらの吸収性物品や男性用尿吸収パッドは、挿入した男性器が開口部又はスリットから外れやすく、尿漏れが生じるという問題があった。
【先行技術文献】
【特許文献】
【０００３】
【特許文献１】公開実用新案公報昭６０−６９１１４号公報
【特許文献２】特開２００７−６８６４３号公報
【考案の概要】
【考案が解決しようとする課題】
【０００４】
本考案は、上記した従来技術の問題に鑑みてなされたものであって、簡便に男性器に装着して使用することができるとともに、良好な装着状態を確保して尿漏れを有効に防止することが可能な吸収性物品を提供することを課題とする。
【課題を解決するための手段】
【０００５】
本考案者らは、前記課題を解決するために鋭意検討した結果、使用者の男性器に装着する吸収性物品として、少なくとも防水シート上に吸収層を有する積層シートを、前記吸収層を内側にして三角形状に折り畳むか、又は、前記吸収層を内側にして、かつ、一端の一部が開口するように袋状に形成してなる吸収性物品において、該吸収性物品の一方の壁面に、シリコン樹脂等の軟質弾性材料からなる男性器貫通用のスリットを形成することで、簡便に男性器に装着して使用することができるとともに、装着した男性器が吸収性物品から外れ難くなり、良好な装着状態を確保して尿漏れを防止することが可能であることを見出し、本考案を完成するに至った。
【０００６】
かくして本考案によれば、下記（１）〜（５）の吸収性物品、及び（６）に記載の吸収性物品の製造方法が提供される。
（１）少なくとも防水シート上に吸収層を有する積層シートに、軟質弾性材料からなる男性器貫通用のスリットが形成され、該男性器貫通用のスリットに使用者の男性器を挿入し、使用者の排泄した尿を吸収層で吸収・保持する吸収性物品。
（２）前記積層シートの吸収層を内側にして三角形状に折り畳んでなる三角形状の袋体であって、該袋体の壁面に、軟質弾性材料からなる男性器貫通用のスリットを形成し、該男性器貫通用のスリットに使用者の男性器を挿入し、使用者の排泄した尿を吸収層で吸収・保持する（１）に記載の吸収性物品。
（３）前記積層シートの吸収層を内側にして、かつ、一端の一部が開口するように袋状に形成してなる直方体状の袋体であって、該袋体の壁面に、軟質弾性材料からなる男性器貫通用のスリットを形成し、該男性器貫通用のスリットに使用者の男性器を挿入し、使用者の排泄した尿を吸収層で吸収・保持する（１）に記載の吸収性物品。
（４）前記軟質弾性材料からなる男性器貫通用のスリットが、放射状の切れ目を有するものである（１）〜（３）のいずれかに記載の吸収性物品。
（５）前記軟質弾性材料がシリコン樹脂である（１）〜（４）のいずれかに記載の吸収性物品。
（６）前記（１）〜（５）のいずれかに記載の吸収性物品の製造方法であって、少なくとも防水シート上に吸収層を有する積層シートに、男性器貫通用のスリット又は孔を開け、該スリット又は孔を覆うように、切れ目を有するシリコン樹脂シートを前記積層シートに貼着することにより、男性器貫通用のスリットを形成する工程を有する吸収性物品の製造方法。
【考案の効果】
【０００７】
本考案の吸収性物品は、軟質弾性材料からなる男性器貫通用のスリットを設けているので、簡便に男性器に装着して使用することができるとともに、吸収性物品が男性器から外れてしまったり、ずれたりしてしまうことを有効に防止することが可能であり、良好な装着感を得ることができる。
【図面の簡単な説明】
【０００８】
【図１】軟質弾性材料からなる男性器貫通用のスリットの具体例を示す図である。
【図２】本考案の吸収性物品の一例を示す概念図である。
【図３】本考案の吸収性物品の一例を示す概念図である。
【図４】本考案の吸収性物品を製造する工程概念図である。
【図５】従来の吸収性物品の一例を示す模式図である。
【図６】従来の、男性器を挿入するためのスリットを有する、男性用尿失禁パッドの模式図である。
【考案を実施するための形態】
【０００９】
以下、本考案を、１）吸収性物品、及び、２）吸収性物品の製造方法、に項分けして、図面を参照しながら詳細に説明する。
【００１０】
１）吸収性物品
本考案の吸収性物品は、少なくとも防水シート上に吸収層を有する積層シートに、軟質弾性材料からなる男性器貫通用のスリット（男性器挿入口）を形成し、該男性器貫通用のスリットに使用者の男性器を挿入し、使用者の排泄した尿を吸収層で吸収・保持するものである。
【００１１】
本考案の吸収性物品に用いる積層シートは、少なくとも防水シートと吸収層を有するものであればよいが、液透過性のトップシート（防水シートに相当）と、バックシートと、これら両シート間に配置された吸収体（吸収層に相当）とを有するものであっても、液透過性のトップシート（防水シートに相当）と、バックシートと、これら両シート間に配置された吸収体（吸収層に相当）と、少なくとも一部が前記トップシート上に位置するギャザーシートを備えるものであってもよい。
【００１２】
本考案の吸収性物品は、少なくとも防水シート上に吸収層を有する積層シートに、軟質弾性材料からなる男性器貫通用のスリットを形成し、該男性器貫通用のスリットに使用者の男性器を挿入し、使用者の排泄した尿を吸収層で吸収・保持するものであれば、積層シートの材質や層構造、形態等は、特に限定されない。
【００１３】
より具体的には、実公昭６３−１２４９１５号公報、特開平１１−２２６０４４号公報、特開２００４−１２１３８７号公報、特開２００４−３５１１３６号公報、特開２００７−６８６４０号公報、特開２００７−６８６４１号公報、特開２００７−６８６４２号公報、特開２００７−６８６４３号公報、特開２００８−１２５５６２号公報、特開２０１１−３０９６２号公報、特許第３５００２６７号、等に記載されたものが挙げられるが、これらの文献に記載されたものに限定されるものではない。
【００１４】
本考案の吸収性物品は、積層シートに軟質弾性材料からなる男性器貫通用のスリットが形成されていることを特徴とする。男性器貫通用のスリットを軟質弾性材料から形成することで、軟質弾性材料と皮膚との適度な摩擦抵抗により、前記スリットに挿入した男性器がスリットから外れにくくなり、結果として尿漏れを確実に防止することができる。また、男性器は付け根部分で固定されるが、右側臥位や左側臥位に体位変換しても安楽な状態で、陰茎は自由に保たれ、使用者も安楽である。本考案の吸収性物品は、陰茎サイズの大小に関係なく、尿漏れを確実に防止することができる。
【００１５】
また、軟質弾性材料は、耐久性に優れ、皮膚にやさしく（刺激が少ない）、しかも適度な弾力性を有するものであるため、長時間装着した場合であっても、使用者に不快感を与えることがない。軟質弾性材料としては、使用可能な程度の強度を有し、皮膚にやさしく（刺激がなく）、皮膚と適度な摩擦抵抗を有するものであれば、特に限定されないが、例えば、シリコン樹脂、ウレタン樹脂等が挙げられ、シリコン樹脂、シリコンゴムが特に好ましい。
【００１６】
軟質弾性材料からなる男性器貫通用のスリットの大きさは、男性器が挿入され、使用者が長時間装着した場合であっても支障が生じない大きさであればよい。
【００１７】
軟質弾性材料からなる男性器貫通用のスリットの具体例を図１に示す。図１中、１は切れ目、２は軟質弾性材料からなるシートである。該シートの厚みは、適度な弾力性を有する厚みであればよく、通常、０．５〜２ｍｍ程度である。
【００１８】
図１中、（ａ）に示すものは十字状に切れ目が入ったもの、（ｂ）に示すものはクロス（Ｘ状）に切れ目が入ったもの、（ｃ）に示すものは星型形状に切れ目が入ったもの、（ｄ）に示すものはＨ字形状に切れ目が入ったもの、（ｅ）に示すものは放射状に切れ目が入ったもの、（ｆ）に示すものは、中心部に円形の孔を有し、該孔の周囲に放射状の切れ目が入ったものである。
いずれの場合も、切れ目部分の大きさは、直径４〜５ｃｍ程度である。切れ目部分があまりに小さいと男性器の挿入が困難となり、また、挿入することができたとしても、動きに余裕がなくなり、男性器に痛みが生じたり、使用者に不快感をもたらすおそれがある。切れ目部分が大きすぎると、男性器がスリットから外れやすくなり、尿漏れが生じるおそれがある。
【００１９】
これらの中でも、本考案のより優れた効果が得られる観点から、図１（ｅ）、（ｆ）に示すごとく、放射状に切れ目が入ったものが好ましく、図１（ｅ）に示すものが特に好ましい。
【００２０】
本考案の吸収性物品は、（ａ）前記積層シートの吸収層を内側にして三角形状に折り畳んで形成される吸収性物品、又は、（ｂ）前記積層シートの吸収層を内側にして、かつ、一端の一部が開口するように袋状に形成してなる吸収性物品であって、前記吸収性物品の一方の壁面に、軟質弾性材料からなる男性器貫通用のスリットを形成し、男性器貫通用のスリットに使用者の男性器を挿入し、使用者の排泄した尿を吸収層で吸収・保持するものであることが好ましい。
【００２１】
前記（ａ）のタイプの吸収性物品の一例を図２（ａ）、（ｂ）に示す。図２中、３は、積層シート、４ａは軟質弾性材料からなる男性器貫通用スリット、５は接着部、６は折れ線である。図２に示す吸収性物品１００Ａは、図２（ｂ）に示すように、折れ線６に沿って積層シート３を略三角形状に折りたたみ、接着部５にて貼り合わせ、使用者が軟質弾性材料からなる男性器貫通用のスリット４ａに男性器を挿入して使用するものである。
【００２２】
前記（ｂ）のタイプの吸収性物品の一例を図３（ａ）、（ｂ）に示す。図３（ａ）中、７は下層部、８は上層部、９は縦方向一端部、１０は袋体である。図３（ａ）に示す吸収性物品は、上層部８と下層部７とにより縦方向一端部９が該上層部８の該一端から該方向に延出する袋体１０に形成され、前記両層部の外面は不透液性シートで被覆されているとともに、前記両層部の少なくとも一方は該不透液シートと前記袋体の内面に位置する透液性シートとの間に吸液性コアが介在してなる。図３（ａ）に示す吸収性物品１００Ｂは、使用者は男性器を袋体１０の壁面に形成された軟質弾性材料からなる男性器貫通用のスリット４ｂに挿入して使用するものである。
【００２３】
図３（ｂ）に示すものは、尿の排泄を検知するセンサーが取り付けられたものである。すなわち、図３（ｂ）中、１１は尿検知センサー、１２は尿吸引口である。図３（ｂ）に示すものは、図３（ａ）に示す吸収性物品１００Ｂの裏面側に、図示を省略する尿吸引ポンプと連動する尿検知センサー１１が取り付けられ、該センサー１１により尿を検知すると、前記尿吸引ポンプが始動し、尿吸水口１２から、図示を省略する尿吸収管を通して、排泄された尿を吸引する。図３（ｂ）に示す吸収性物品１００Ｃも、使用者は男性器を袋体１０の壁面に形成された軟質弾性材料からなる男性器貫通用のスリット４ｂに挿入して使用するものである。
尿検知センサー１１は、尿が排泄されたことを検知できるものであれば良く、例えば、温度センサーや電解質を検出するセンサーなどが挙げられる。
【００２４】
２）吸収性物品の製造方法
本考案の吸収性物品は、たとえば、次のようにして製造することができる。すなわち、本考案の吸収性物品は、（工程ｉ）少なくとも防水シート上に吸収層を有する積層シートの所定部位に、男性器貫通用のスリット又は孔を開け、次いで、（工程ｉｉ）該スリット又は孔を覆うように、切れ目を有する軟質弾性材料からなるシートを貼着して、男性器貫通用のスリットを形成することにより、製造することができる。
以下、前記図２に示す吸収性物品を製造する場合を例にとって、詳細に説明する。
【００２５】
（ｉ）工程ｉ
まず、図４（ａ）に示すように、少なくとも防水シートと吸収層を有する積層シート３を用意する。この積層シート３では、予め接着部５を設けている。用いる積層シート３としては、少なくとも防水シートと吸収層を有するものであればよいが、液透過性のトップシートと、バックシートと、これら両シート間に配置された吸収体とを有するものであっても、液透過性のトップシートと、バックシートと、これら両シート間に配置された吸収体と、少なくとも一部が前記トップシート上に位置するギャザーシートを備えるものであってもよいが、尿漏れ防止の観点から、後者が好ましい。
【００２６】
次いで、図４（ｂ）に示すように、前記積層シート３の所定部位に、男性器貫通用のスリット又は孔Ｃを開ける。男性器貫通用のスリット又は孔Ｃを開ける部位は、使用時に男性器の挿入を容易におこなうことができる部位であればよいが、ギャザーシート等の吸収層が存在しない部位であることが、オムツかぶれを防止する観点から好ましい。
【００２７】
男性器貫通用のスリット又は孔Ｃの形状は、円形、楕円形、正方形、長方形等が挙げられる（図４（ｂ）には楕円形の例を記載している）。
男性器貫通用のスリット又は孔Ｃの大きさは、男性器を容易に挿入することができ、かつ、切れ目を有する軟質弾性材料からなるシートにより覆われる大きさであればよく、通常、４〜５ｃｍである（男性器貫通用のスリット又は孔の形状が円形の場合には直径、正方形の場合には一辺の長さ、長方形の場合には短い方の一辺の長さである。）。
【００２８】
男性器貫通用のスリット又は孔Ｃを開ける方法は特に限定されない。たとえば、前記積層シートの所定部位に、カッターナイフやハサミを使用して、スリット又は孔を開ける方法、積層シートの所定部位を打ち抜くことにより、スリット又は孔を開ける方法などが挙げられる。
【００２９】
（ｉｉ）工程ｉｉ
次いで、図４（ｃ）に示すように、工程ｉで形成したスリット又は孔Ｃを覆うように、放射状に切れ目を有する軟質弾性材料からなるシートＤを貼着することにより、男性器貫通用のスリットを形成する。
【００３０】
本考案に用いる軟質弾性材料は、厚みが０．５〜２ｍｍ程度のシート状物である。たとえば、シリコン樹脂の場合、シリコン素材のランチマット、お弁当用小分けカップ等として市販されているものと同様の材質(弾力性、厚み等)のものを使用することができる。
【００３１】
切れ目を有する軟質弾性材料からなるシートＤの形状は特に限定されない、たとえば、円形、正方形、長方形等が挙げられる。軟質弾性材料からなるシートの大きさは、前記男性器貫通用のスリット又は孔Ｃを覆うことができ、かつ、切れ目を入れることができる大きさであればよい。
【００３２】
軟質弾性材料からなるシートＣの切れ目の形状は、上述した図１（ａ）〜（ｆ）に示すものが挙げられ、本考案のより優れた効果を奏し、かつ、より強度に優れる吸収性物品を得ることができることから、図１（ｅ）、（ｆ）に示すごとく放射状が好ましい。
【００３３】
切れ目を有する軟質弾性材料からなるシートＤを貼着する方法は、特に限定されない。たとえば、接着剤を使用して貼着する方法や、両面テープを使用して貼着する方法などが挙げられる。
また、切れ目を有する軟質弾性材料からなるシートＤは、本考案の吸収性物品を使用時において外側になる側の面（防水シート側）に貼着するのが好ましい。
【００３４】
また、前記図３（ａ）に示す吸収性物品は、図６に示す尿吸収パッドの一方の壁面に、男性器貫通用のスリット又は孔を開け、次いで、該スリット又は孔を覆うように、切れ目を有する軟質弾性材料からなるシートを貼着することにより、男性器貫通用のスリットを形成することにより、製造することができる。図３（ｂ）に示す吸収性物品も同様にして製造することができる。
この場合、図６に示す吸収パッドの袋体を形成する前の状態（すなわち、袋体を展開した状態）で、吸収パッド(積層シート)の壁面に、男性器貫通用のスリット又は孔を開け、次いで、該スリット又は孔を覆うように、切れ目を有する軟質弾性材料からなるシートを貼着することにより、男性器貫通用のスリットを形成した後、袋体を形成するようにしてもよい。
【００３５】
本考案の吸収性物品を使用する方法としては、たとえば、次のものが挙げられる。
（ｉ）少なくとも防水シート上に吸収層を有する積層シートの所定部位に軟質弾性材料からなる男性器貫通用のスリットを形成し、前記積層シートの吸収層を内側にして三角形状に折り畳み、男性器貫通用のスリットに使用者の男性器を挿入し、使用者の排泄した尿を吸収層で吸収・保持する方法。
（ｉｉ）少なくとも防水シート上に吸収層を有する積層シートの吸収層を内側にして、かつ、一端の一部が開口するように袋状に形成してなる吸収性物品であって、前記吸収性物品の壁面に、軟質弾性材料からなる男性器貫通用のスリットを形成し、該男性器貫通用のスリットに使用者の男性器を挿入し、使用者の排泄した尿を吸収層で吸収・保持する方法。
（ｉｉｉ）少なくとも防水シート上に吸収層を有する積層シートを、吸収層を内側にして二つ折すると共に、少なくとも折り目側の側縁同士を固着して袋状となし、一方の壁面に、軟質弾性材料からなる男性器貫通用のスリットを形成し、該男性器貫通用のスリットに使用者の男性器を挿入し、使用者の排泄した尿を吸収層で吸収・保持する方法。
【符号の説明】
【００３６】
１・・・切れ目
２・・・軟質弾性材料からなるシート
３，５０・・・積層シート
４ａ，４ｂ・・・軟質弾性材料からなる男性器貫通用のスリット
５・・・接着部
６，９０・・・折れ線
７，２０・・・下層部
８，３０・・・上層部
９，４０・・・縦方向一端部
１０，５０・・・袋体
１１・・・尿検知センサー
１２・・・尿吸引口
１００Ａ，１００Ｂ，１００Ｃ・・・本考案の吸収性物品
２００，３００・・・従来の吸収性物品（尿吸収パッド）
【図１】
0003174412.tif 000003
【図２】
0003174412.tif 000004
【図３】
0003174412.tif 000005
【図４】
0003174412.tif 000006
【図５】
0003174412.tif 000007
【図６】
0003174412.tif 000008
【手続補正書】
【提出日】平成24年1月18日(2012.1.18)
【手続補正１】
【補正対象書類名】実用新案登録請求の範囲
【補正対象項目名】全文
【補正方法】変更
【補正の内容】
【実用新案登録請求の範囲】
【請求項１】
少なくとも防水シート上に吸収層を有する積層シートに、軟質弾性材料からなる男性器貫通用のスリットが形成され、該男性器貫通用のスリットに使用者の男性器を挿入し、使用者の排泄した尿を吸収層で吸収・保持する吸収性物品。
【請求項２】
前記積層シートの吸収層を内側にして三角形状に折り畳んでなる三角形状の袋体であって、該袋体の壁面に、軟質弾性材料からなる男性器貫通用のスリットを形成し、該男性器貫通用のスリットに使用者の男性器を挿入し、使用者の排泄した尿を吸収層で吸収・保持する請求項１に記載の吸収性物品。
【請求項３】
前記積層シートの吸収層を内側にして、かつ、一端の一部が開口するように袋状に形成してなる直方体状の袋体であって、該袋体の壁面に、軟質弾性材料からなる男性器貫通用のスリットを形成し、該男性器貫通用のスリットに使用者の男性器を挿入し、使用者の排泄した尿を吸収層で吸収・保持する請求項１に記載の吸収性物品。
【請求項４】
前記軟質弾性材料からなる男性器貫通用のスリットが、放射状の切れ目を有するものである請求項１〜３のいずれかに記載の吸収性物品。
【請求項５】
前記軟質弾性性材料がシリコン樹脂である請求項１〜４のいずれかに記載の吸収性物品。